(57)【特許請求の範囲】
【請求項１】
キャビネットに形成されたコンロ収容部に取り付けられるフィラーであって、
頂部天板及び頂部前板を備える頂部と、
前記頂部の前方に配置され、前記頂部天板よりも低い位置に配置された前肩部天板を備える前肩部と、
を有し、
前記キャビネットの上部に天板が載置されており、
前記頂部における天面が、前記キャビネットの上部に設けられる天板と接することを特徴とするフィラー。
【請求項２】
キャビネットに形成されたコンロ収容部に取り付けられるフィラーであって、
頂部天板及び頂部前板を備える頂部と、
前記頂部の前方に配置され、前記頂部天板よりも低い位置に配置された前肩部天板を備える前肩部と、
を有し、
前記キャビネットには、支持部材が取り付けられており、
前記頂部の後方に配置され、前記頂部天板よりも低い位置に配置された後肩部天板を備える後肩部をさらに有することを特徴とするフィラー。
【請求項３】
前記頂部及び前記後肩部の前記頂部前板よりも後方における長手方向の両端部のうちの少なくとも一方に切欠き部が形成され、前記後肩部の長手方向の長さが前記頂部前板よりも短くされている請求項２に記載のフィラー。
【請求項４】
断面凸形状の長尺材で構成されている請求項１〜３のうちのいずれか１項に記載のフィラー。
【請求項５】
キャビネットの上方に配設された天板の下面とコンロ本体の上辺部との隙間に請求項１〜４のうちのいずれか１項に記載のフィラーが設けられているシステムキッチン。
【発明の詳細な説明】
【技術分野】
【０００１】
本発明は、フィラー及びシステムキッチンに関する。
【背景技術】
【０００２】
キッチンで利用されるコンロとして、キッチン本体となるキャビネットにコンロを設けたいわゆるビルトインコンロ（ドロップインコンロ）がある。このビルトインコンロとしては、グリル皿を収容するグリル皿収容部がキャビネットに形成されているものが多い。また、グリル皿の前側（調理作業場側）には、前板が取り付けられており、グリル皿がグリル皿収容部に収容されたときには、前板がキャビネットの前面と略面一となるように配置される。ビルトインコンロは、キャビネットの上方に設けられていることが多く、この場合、コンロの上方には天板が設けられる。
【０００３】
この種のキャビネットにおける天板は、前框が設けられているものが多かった。このため、ビルトインコンロの上方部分は前框に隠されてしまい、調理作業場方向からは見えにくい構造となっているものが多かった。ところが、天板に前框が設けられていないタイプのものもあり、この場合、コンロに収容されるグリル皿の前板の上端部と天板の下端部との間に間隙が生じてしまうことがあった。
【０００４】
この間隙を埋めるために、従来、カウンタートップ（天板）とコンロ本体の上辺部との間で生じた間隙にフィラーが介装されたドロップインコンロがある（例えば、特許文献１参照）。カウンタートップ（天板）とコンロ本体の上辺部との間で生じた間隙にフィラーを介装することで、この間隙を埋めるようにしていた。
【先行技術文献】
【特許文献】
【０００５】
【特許文献１】特開平１０−２１３３２７号公報
【発明の概要】
【発明が解決しようとする課題】
【０００６】
ところで、この種のビルトインコンロが設けられたキャビネットにおいて、ビルトインコンロに隣接する位置に小引出しが設けられることがある。また、上記特許文献１に開示されたフィラーの上辺はカウンタートップの底面に沿って配置されている。このため、フィラーの上辺と小引出しの上辺とを面一とするためには、小引出しの上辺がカウンタートップの底面に接するようにしなければならない。このため、フィラーの上辺と小引出しの前板の上辺とを面一とすることが難しく、意匠性が乏しくなるという問題があった。
【０００７】
そこで、本発明が解決しようとする課題は、ビルトインコンロの上方に設けた場合に、意匠性を損なわないようにすることができるフィラー及びシステムキッチンを提供することである。
【課題を解決するための手段】
【０００８】
本発明の一態様に係るフィラーは、キャビネットに形成されたコンロ収容部に取り付けられるフィラーであって、頂部天板及び頂部前板を備える頂部と、前記頂部の前方に配置され、前記頂部天板よりも低い位置に配置された前肩部天板を備える前肩部と、を有し、前記キャビネットの上部に天板が載置されており、前記頂部における天面が、前記キャビネットの上部に設けられる天板と接することを特徴とする。
【００１０】
また、本発明の一態様に係るフィラーは、キャビネットに形成されたコンロ収容部に取り付けられるフィラーであって、頂部天板及び頂部前板を備える頂部と、前記頂部の前方に配置され、前記頂部天板よりも低い位置に配置された前肩部天板を備える前肩部と、を有し、前記キャビネットには、支持部材が取り付けられており、前記頂部の後方に配置され、前記頂部天板よりも低い位置に配置された後肩部天板を備える後肩部をさらに有することを特徴とする。
【００１１】
また、本発明の一態様に係るフィラーは、前記頂部及び前記後肩部の前記頂部前板よりも後方における長手方向の両端部のうちの少なくとも一方に切欠き部が形成され、前記後肩部の長手方向の長さが前記頂部前板よりも短くされている。
また、本発明の一態様に係るフィラーは、断面凸形状の長尺材で構成されている。
【００１２】
また、本発明の一態様に係るシステムキッチンは、キャビネットの上方に配設された天板の下面とコンロ本体の上辺部との隙間に請求項１〜４のうちのいずれか１項に記載のフィラーが設けられている。
【発明の効果】
【００１３】
本発明の一態様によれば、ビルトインコンロの上方に設けた場合に、意匠性を損なわないようにすることができる。
【図面の簡単な説明】
【００１４】
【図１】一実施形態に係るフィラーの斜視図である。
【図２】一実施形態に係るフィラーの平面図である。
【図３】一実施形態に係るフィラーの正面図である。
【図４】一実施形態に係るフィラーの側面図である。
【図５】フィラーをキャビネットに取り付けた状態の斜視図である。
【図６】受け金具の斜視図である。
【図７】フィラーを受け金具に固定し、さらに天板を取り付けた状態の断面図である。
【発明を実施するための形態】
【００１５】
以下、本発明の一実施形態に係るフィラーについて、図面を参照して具体的に説明する。図１は、一実施形態に係るフィラーの斜視図、図２は、一実施形態に係るフィラーの平面図、図３は、一実施形態に係るフィラーの正面図、図４は、一実施形態に係るフィラーの側面図である。
【００１６】
図１〜図４に示すように、フィラー１０は、断面凸形状の長尺状をなす長尺材である。フィラー１０は、頂部１、前肩部２、及び後肩部３を備えている。頂部１は、前肩部２と後肩部３の間に形成されており、頂部１の前方に前肩部２が配置され、頂部１の後方に後肩部３が配置されている。また、頂部１は、前肩部２及び後肩部３よりも突出して形成されている。
【００１７】
頂部１は、頂部天板１１、頂部前板１２、及び頂部後板１３を備えている。頂部天板１１、頂部前板１２、及び頂部後板１３は、いずれも長尺状の板材である。頂部天板１１の長尺辺の一方は頂部前板１２に接続され、長尺辺の他方は頂部後板１３に接続されている。また、頂部天板１１は、略水平面に沿って配設されている。
【００１８】
頂部天板１１の前側には頂部前板１２が配設され、頂部天板１１の後側には頂部後板１３が配設されている。頂部前板１２の長尺辺の一方は、頂部天板１１の長尺辺に接続され、長尺辺の他方は前肩部２に接続されている。頂部後板１３の長尺辺の一方は、頂部天板１１の長尺辺に接続され、長尺辺の他方は後肩部３に接続されている。頂部前板１２及び頂部後板１３は、互いに略平行状態で略鉛直面に沿って配設されている。
【００１９】
また、頂部天板１１には、第１取付孔１１Ａ、第２取付孔１１Ｂ、及び第３取付孔１１Ｃが形成されている。第１取付孔１１Ａ、第２取付孔１１Ｂ、及び第３取付孔１１Ｃは、頂部天板１１の長手方向に略等間隔を置いて配置されており、頂部天板１１の長手方向略中央部に第２取付孔１１Ｂが配置され、頂部天板１１の長手方向両端部に第１取付孔１１Ａ及び第３取付孔１１Ｃがそれぞれ配置されている。
【００２０】
また、頂部天板１１の一端部には第１切欠き部１４Ａが形成され、他端部には第２切欠き部１４Ｂが形成されている。第１切欠き部１４Ａ及び第２切欠き部１４Ｂは、頂部１における頂部天板１１及び頂部後板１３が取り除かれて形成されている。このため、頂部天板１１及び頂部後板１３の長さは、頂部前板１２の長さよりも短くされている。なお、頂部１の長さは、頂部１が有する板のうち最も長い板の長さであり、この例では頂部前板１２の長さが頂部１の長さとなる。
【００２１】
前肩部２は、前肩部前板２１及び前肩部天板２２を備えている。前肩部前板２１及び前肩部天板２２は、いずれも長尺状の板材である。前肩部前板２１の長尺辺の一方は前肩部天板２２に接続され、長尺辺の他方は裏面板部に接続されている。また、前肩部前板２１は、略鉛直面に沿って配設されている。
【００２２】
前肩部前板２１の後側には前肩部天板２２が配設されている。前肩部天板２２は、頂部天板１１よりも低い位置に配置されている。前肩部天板２２の長尺辺の一方は前肩部前板２１に接続され、他方は頂部前板１２の長尺辺に接続されている。前肩部天板２２は、略水平面に沿って配設されている。
【００２３】
また、前肩部前板２１における短尺側の辺は、折り返し板２３に接続されている。折り返し板２３は、略鉛直面に沿って形成されている。また、折り返し板２３は、前肩部前板２１に対して略直交して配置されている。
【００２４】
後肩部３は、後肩部天板３１、後肩部後板３２、及び後肩部底板３３を備えている。後肩部３は、後肩部天板３１、後肩部後板３２、及び後肩部底板３３は、いずれも長尺状の板材である。後肩部天板３１は、頂部天板１１よりも低い位置に配置されている。後肩部天板３１の長尺辺の一方は後肩部後板３２に接続され、長尺辺の他方は頂部後板１３の長尺辺に接続されている。また、後肩部天板３１は略水平面に沿って配設されている。
【００２５】
後肩部天板３１の後側には後肩部後板３２が配設されている。後肩部後板３２の長尺辺の一方は後肩部天板３１に接続され、他方は後肩部底板３３に接続されている。後肩部後板３２は略鉛直面に沿って配設されている。
【００２６】
後肩部後板３２の底側には後肩部底板３３が配設されている。後肩部底板３３の長尺辺の一方は後肩部後板３２に接続されている。後肩部底板３３は略水平面に沿って配設されている。後肩部底板３３は、後肩部天板３１と略平行に配設されている。後肩部底板３３が設けられていることにより、フィラー１０の強度が高められている。
【００２７】
また、後肩部天板３１には、第１貫通孔３１Ａ及び第２貫通孔３１Ｂが形成されている。第１貫通孔３１Ａ及び第２貫通孔３１Ｂは、いずれも長径部と小径部とを備える長孔であり、その長手方向が後肩部３の延在方向に沿って形成されている。第１貫通孔３１Ａ及び第２貫通孔３１Ｂは、それぞれ後肩部天板３１の端部に配置されている。
【００２８】
フィラー１０は、図５に示すように、キッチンキャビネット４０に設けられている。キッチンキャビネット４０は、キャビネット本体４１を備えており、キャビネット本体４１には、ビルトインコンロ（ドロップインコンロ）の収容部となるコンロ収容部４２が設けられている。
【００２９】
また、キャビネット本体４１におけるコンロ収容部４２の側方には、第１小引出し４３及び第２小引出し４４がそれぞれ収容されている。第１小引出し４３及び第２小引出し４４は、キャビネット本体４１に対して出し入れが自在とされている。第１小引出し４３及び第２小引出し４４は、それぞれ前扉を備えており、第１小引出し４３及び第２小引出し４４の前扉の上端辺は、同じ高さ位置となるように形成されている。
【００３０】
また、キャビネット本体４１には、キッチン天板４５が載置されている。キッチン天板４５は、キッチンキャビネット４０の最も高い位置に配置されている。キッチン天板４５には、図示しないシンクや加熱機器などの調理器具が設けられる。キッチン天板４５は、前框が設けられておらず、全体的に薄いものとされている。また、キャビネット本体４１の上方に配設されたキッチン天板４５の下面とコンロ収容部４２に収容されるビルトインコンロ（コンロ本体）の上辺部との隙間にフィラー１０が設けられてシステムキッチンが構成されている。
【００３１】
また、コンロ収容部４２における第１小引出し４３が配置された一側及び第２小引出し４４が設けられた他側には、それぞれ図６に示す支持部材である受け金具６０が取り付けられている。受け金具６０は、上面部６１及び側面部６２を備えている。上面部６１及び側面部６２はいずれも板状の部材であり、上面部６１は、略水平面に沿って配置され、側面部６２は、略鉛直面に沿って配置されている。こうして、上面部６１及び側面部６２は、互いに直交して形成されている。
【００３２】
上面部６１には、上面部６１を貫通する貫通孔６１Ａが形成されている。また、側面部６２には、側面部６２を貫通する上固定孔６２Ａ及び下固定孔６２Ｂが形成されている。上固定孔６２Ａ及び下固定孔６２Ｂは、鉛直軸に沿って互いに上下関係を成す位置に配置されている。
【００３３】
次に、キッチンキャビネット４０に対するフィラー１０の取付態様について説明する。フィラー１０は、キャビネット本体４１に対して、受け金具６０によって支持されて取り付けられている。受け金具６０は、コンロ収容部４２の一側及び他側において、図７に示すように、コンロ収容部４２の側面に固定されている。図７には、コンロ収容部４２の一側の状態を示しているが、他側の構造も同様とされている。
【００３４】
受け金具６０における上固定孔６２Ａ及び下固定孔６２Ｂには、図示しない固定ボルトが貫通している。固定ボルトがコンロ収容部４２の側面にねじ込まれることにより、固定ボルトの頭部で受け金具６０がコンロ収容部４２に抑えつけられて、受け金具６０がコンロ収容部４２に固定されている。
【００３５】
受け金具６０には、フィラー１０における後肩部３の後肩部天板３１が固定されている。受け金具６０の上面部６１に形成された貫通孔６１Ａ及び後肩部３の後肩部天板３１に形成された第１貫通孔３１Ａには、ボルト７０が貫通している。また、受け金具６０の底面側からボルト７０にナットが締め付けられており、ボルト７０の頭部とナットとによって受け金具６０の上面部６１及び後肩部３の後肩部天板３１が締め付けられる。こうして、受け金具６０に対してフィラー１０が固定されている。
【００３６】
また、フィラー１０における頂部１の頂部天板１１に形成された第１取付孔１１Ａには、ねじ部材である締付ボルト７１が底面側から挿入されて貫通している。また、頂部天板１１に形成された第１取付孔１１Ａに対応するキッチン天板４５の底面には、ボルト孔４５Ａが形成されており、底面側から第１取付孔１１Ａを貫通した締付ボルト７１がねじ込まれている。こうして、フィラー１０に対してキッチン天板４５が固定されている。なお、頂部１の頂部天板１１に形成された第２取付孔１１Ｂ及び第３取付孔１１Ｃに対応するキッチン天板４５の底面にも、図示はしないが同様のボルト孔が形成されており、底面側から第２取付孔１１Ｂおよび第３取付孔１１Ｃを貫通した締付ボルトがねじ込まれている。こうして、頂部１の頂部天板１１の天面は、キッチン天板４５の底面に接して配置されている。
【００３７】
以上の構成を有する本実施形態に係るキッチンキャビネット４０では、前肩部２における前肩部前板２１の上端辺と、コンロ収容部４２の側方に配置された第１小引出し４３及び第２小引出し４４における前扉の上端辺とが同じ高さ位置となるように設計されている。例えば、キッチン天板４５に前框が設けられている場合には、この前框部分の下端辺と第１小引出し４３及び第２小引出し４４の上端辺の高さ位置を合わせることで、意匠性を高めることができる。ところが、キッチン天板４５に前框が設けられていないことから、前框部分の下端辺と第１小引出し４３及び第２小引出し４４の上端辺の高さ位置を合わせることができない。仮に、意匠性を高めるためにキッチン天板４５の下端辺に第１小引出し４３及び第２小引出し４４の上端辺を合わせようとすると、第１小引出し４３及び第２小引出し４４の上端辺がキッチン天板４５の底面と当接することとなり、利便性の低下につながる。
【００３８】
また、キッチン天板４５に前框を設けない場合、キッチン天板４５におけるコンロ収容部４２との境目部分にフィラーを設けることで、コンロ収容部４２における上部の間隙が塞がれることとなる。ここで、フィラーとして直方体状のものを用いた場合、フィラーの上端辺に第１小引出し４３及び第２小引出し４４の上端辺を合わせようとすると、やはり第１小引出し４３及び第２小引出し４４の上端辺がキッチン天板４５の底面と当接することとなる。
【００３９】
一方、本実施形態に係るフィラー１０は、断面凸形状をなしており、頂部１及び前肩部２を備えている。このため、頂部１の頂部天板１１の天面をキッチン天板４５の底面に接した状態で配置しても、前肩部前板２１の上端辺はキッチン天板４５の下端辺よりも低い位置に配置される。したがって、前肩部前板２１の上端辺と第１小引出し４３及び第２小引出し４４の上端辺の高さ位置を合わせて意匠性を高めたとしても、第１小引出し４３及び第２小引出し４４の上端辺がキッチン天板４５の底面と当接することはない。よって、フィラー１０をビルトインコンロの上方に設けた場合に、意匠性を損なわないようにすることができる。
【００４０】
また、フィラー１０における頂部１の頂部天板１１は、キッチン天板４５の裏面と接している。このため、フィラー１０とキッチン天板４５との間の隙間が埋められるので、意匠性をさらに高めることができる。この頂部天板１１には、締付ボルト７１を貫通する第１取付孔１１Ａ、第２取付孔１１Ｂ、及び第３取付孔１１Ｃが形成されている。この第１取付孔１１Ａ、第２取付孔１１Ｂ、及び第３取付孔１１Ｃが形成されていることにより、フィラー１０にキッチン天板４５を取り付けることができる。したがって、キッチン天板をキャビネット本体４１に取り付けるための固定具としてフィラー１０を利用することができる。よって、キッチン天板４５をキャビネット本体４１に取り付ける固定具を別途設けることを省略できるので、部品点数の削減に寄与することができる。
【００４１】
また、フィラー１０には、後肩部３が形成されている。このため、フィラー１０の後側におけるフィラー１０とキッチン天板４５との間に空間を形成することができ、この空間を有効的に活用することができる。例えば、後肩部３の後肩部天板３１には、第１貫通孔３１Ａ及び第２貫通孔３１Ｂが形成されており、第１貫通孔３１Ａ及び第２貫通孔３１Ｂを貫通するボルト７０によってフィラー１０をキャビネット本体４１に取り付けられた受け金具６０に固定している。このとき、受け金具６０の上方にはボルト７０の頭部が突出し、キッチン天板４５に当接したり、キッチン天板４５が邪魔となってボルト７０をとりつけられなかったりといった事態が想定される。
【００４２】
この点、フィラー１０には、後肩部３が形成され、後肩部３の高さ位置は、頂部１の高さ位置よりも低くされている。このため、ボルト７０の頭部を配置する空間を確保することができる。したがって、受け金具６０の上方にはボルト７０の頭部が突出し、キッチン天板４５に当接したり、キッチン天板４５が邪魔となってボルト７０をとりつけられなかったりといった事態を抑制することができる。
【００４３】
また、頂部１における頂部天板１１の両端部には、切欠き部１４Ａ，１４Ｂが形成されている。切欠き部１４Ａ，１４Ｂは、頂部１のうち、頂部前板１２の後方に配置された頂部天板１１及び頂部後板１３の部分が取り除かれて形成されている。このように、頂部前板１２の後方部分を切り欠いて切欠き部１４Ａ，１４Ｂを形成することにより、コンロ収容部４２における受け金具６０間の幅が異なる場合でも、前肩部２及び頂部１の頂部前板１２によってコンロ収容部４２における上部の間隙を塞ぎながら、共通のフィラー１０を用いることができる。したがって、フィラー１０を利用できるキッチンキャビネットの種類を増やすことができ、フィラー１０の汎用性を高めることができる。さらに、後肩部３に形成されたボルト７０が貫通する第１貫通孔３１Ａ及び第２貫通孔３１Ｂは、長孔である。このため、コンロ収容部４２における受け金具６０間の幅が異なる場合でも、フィラー１０を容易に取り付けることができる。
【００４４】
なお、上記の実施形態では、頂部１における頂部天板１１の両側に切欠き部１４Ａ，１４Ｂを形成し、後肩部３における後肩部天板３１に形成した第１貫通孔３１Ａ及び第２貫通孔３１Ｂの両方を長孔としているが、頂部１における頂部天板１１の一側に切欠き部を形成し、後肩部３における後肩部天板３１に形成した第１貫通孔及び第２貫通孔の一方を長孔としてもよい。この場合、頂部１における頂部天板１１の両側のうち、切欠き部を形成した側の貫通孔を長孔とするのが好適である。
【００４５】
また、頂部１における頂部天板１１に切欠き部を形成しているが、切欠き部は、頂部１における頂部前板１２を残した状態で、頂部前板よりも後方の頂部及び後肩部に形成すればよい。例えば、頂部１における頂部天板１１及び後肩部３における後肩部天板３１に形成してもよいし、後肩部３における後肩部天板３１のみに形成してもよい。要は、頂部１又は後肩部３の両端部の一方または両方を切欠き、後肩部３の長さが頂部１の長さよりも短くなるようにすればよい。
【００４６】
以上、この発明の実施形態について図面を参照して詳述してきたが、具体的な構成はこの実施形態に限られるものではなく、この発明の要旨を逸脱しない範囲の設計等も含まれる。
【００４７】
例えば、上記の実施形態では、フィラー１０は断面凸形状をなし、頂部１のほかに前肩部２及び後肩部３が形成されているが、後肩部が形成されておらず、頂部及び前肩部のみが設けられたものとしてもよい。
【符号の説明】
【００４８】
１０…フィラー
１…頂部
２…前肩部
３…後肩部
１１…頂部天板
１１Ａ〜１１Ｃ…第１取付孔〜第３取付孔（取付孔）
１４Ａ，１４Ｂ…第１切欠き部，第２切欠き部
２１…前肩部前板
３１…後肩部天板
３１Ａ，３１Ｂ…第１貫通孔，第２貫通孔（貫通孔、長孔）
３２…後肩部後板
４０…キッチンキャビネット（キャビネット）
４２…コンロ収容部
４５…キッチン天板（天板）
４５Ａ…ボルト孔
６０…受け金具（支持部材）
７０…ボルト（ねじ部材）
７１…締付ボルト（ねじ部材）
【図１】
0006646450.tif 000002
【図２】
0006646450.tif 000003
【図３】
0006646450.tif 000004
【図４】
0006646450.tif 000005
【図５】
0006646450.tif 000006
【図６】
0006646450.tif 000007
【図７】
0006646450.tif 000008